(57)【特許請求の範囲】
【請求項１】
浴室の洗い場の壁面に沿ってカウンターを架設すると共にカウンターの下方を覆う下カバーをカウンターの前端の下端から壁面に亙って装着した浴室カウンターにおいて、下カバーを断面略逆へ字状になるように形成してカウンターの前端から下方に行くほど壁面側に近付くように傾斜せる傾斜幕板部と傾斜幕板部の下端から壁面まで至る略水平な底面板部とを設け、下カバーの傾斜幕板部と底面板部との間の角部を跨ぐように傾斜幕板部と底面板部との間に亙って点検口を開口し、この点検口を塞ぐように点検口蓋を被着して成り、点検口の周縁に全周に亙って上に向けて凹没した凹段部を設け、点検口蓋の周縁が凹段部内に位置するように点検口蓋を被着し、下カバーの外面より点検口蓋の外面の方が上記凹段部の凹没する方向に窪んでいることを特徴とする浴室カウンター。
【発明の詳細な説明】
【０００１】
【発明の属する技術分野】
本発明は、浴室の洗い場で壁面に沿って設けられる浴室カウンターに関し、詳しくはカウンターの下方を覆う下カバーに点検口を設ける構造に関するものである。
【０００２】
【従来の技術】
一般に浴室は図４に示すように浴槽１と洗い場２とが並設され、洗い場２の長手方向の一端の壁面４には鏡５等が装着され、この鏡５の下ではこの壁面４の幅方向に亙るようにカウンター６が架設されている。カウンター６に洗い場用の蛇口７が設けられたり、カウンター６からシャワーホース３を導出したりされる。
【０００３】
上記カウンター６を取り付ける場合、図５に示すように壁面４に支持金具８が片持ち状に取り付けられ、この支持金具８の上にカウンター６が載設して取り付けられる。カウンター６の下には配管等が施されるが、この配管等を隠すためにカウンター６の下面側を隠す下カバー９′がカウンター６の前端の下端から壁面４に亙るように取り付けられる。この下カバー９′は断面略Ｌ字状に形成され、カウンター６の前端から下方に垂下せる幕板部９ａ′と幕板部９ａの下端から壁面４まで至る略水平な底面板部９ｂとで構成されている。
【０００４】
下カバー９′にはカウンター６の下の配管等を点検するため点検口１０′を開口する必要があるが、従来、この点検口１０′は幕板部９ａ′または底面板部９ｂの何れか一方に設けてあった。そして点検口１０′を閉塞するために点検口１０′に点検口蓋１１′を着脱自在に被着してあった。
【０００５】
【発明が解決しようとする課題】
上記のように従来は幕板部９ａ′または底面板部９ｂ′に点検口１０′が設けられるが、幕板部９ａ′に点検口１０′が設けられた場合、点検口１０′に被着する点検口蓋１１′が目立つ位置になるために見栄えがよくなくなるという問題があり、また図６に示すように垂直な幕板部９ａ′に伝う汚れた水が点検口蓋１１′と点検口１０′との間の隙間Ｓから内部に入りやすくて不衛生であるという問題がある。また底面板部９ｂ′に点検口１０を設けた場合、点検口蓋１１′を外してメンテナンスを行うとき、下から覗きこまなければならず、作業性が悪いという問題があった。また幕板部９ａ′と底面板部９ｂ′のどちらに設ける場合も点検口１０′としての開口を大きく取ることができないため、作業性が悪いという問題があった。
【０００６】
本発明は叙述の点に鑑みてなされたものであって、下カバーや点検口蓋が目立たなくて見栄えがよくなり、また点検口の開口範囲が大きくて作業性がよく、さらに汚れた水がカウンターの下の内部に入りにくい浴室カウンターを提供することを課題とする。
【０００７】
【課題を解決するための手段】
上記課題を解決するため本発明の浴室カウンターは、浴室の洗い場２の壁面４に沿ってカウンター６を架設すると共にカウンター６の下方を覆う下カバー９をカウンター６の前端の下端から壁面４に亙って装着した浴室カウンターにおいて、下カバー９を断面略逆へ字状になるように形成してカウンター６の前端から下方に行くほど壁面４側に近付くように傾斜せる傾斜幕板部９ａと傾斜幕板部９ａの下端から壁面４まで至る略水平な底面板部９ｂとを設け、下カバー９の傾斜幕板部９ａと底面板部９ｂとの間の角部を跨ぐように傾斜幕板部９ａと底面板部９ｂとの間に亙って点検口１０を開口し、この点検口１０を塞ぐように点検口蓋１１を被着して成り、点検口１０の周縁に全周に亙って上に向けて凹没した凹段部１２を設け、点検口蓋１１の周縁が凹段部１２内に位置するように点検口蓋１１を被着し、下カバー９の外面より点検口蓋１１の外面の方が上記凹段部１２の凹没する方向に窪んでいることを特徴とする。上記のように下カバー９の幕板部を下方に行くほど壁面４側に近付くように傾斜せる傾斜幕板部９ａとしたことにより、下カバー９や点検口蓋１１が目立たなく見栄えがよくなる。点検口１０としての開口が傾斜幕板部９ａから底面板部９ｂに跨っていることにより、点検口１０の開口範囲が大きくて点検口１０を開放して行うメンテナンスの作業性がよくなる。
【０００８】
また凹段部１２を設けて凹段部１２内に点検口蓋１１の周縁を位置させたことにより、傾斜幕板部９ａに汚れた水が伝っても水切りされて点検口蓋１１と点検口１０との間から汚れた水がカウンター６の下の内部に入りにくく、衛生的になる。
【０００９】
また下カバー９の外面より点検口蓋１１の外面の方が上記凹段部１２の凹没する方向に窪んでいることにより、下カバー９の傾斜幕板部９ａに汚れた水が伝っても点検口蓋１１側に一層行かないように水切りされて点検口蓋１１と点検口１０との間から汚れた水がカウンター６の下の内部に一層入りにくく、衛生的になる。
【００１０】
【発明の実施の形態】
まず図１及び図２に参考例を示す。図１に示すように洗い場２の長手方向の一端の壁面４には支持金具８が片持ち状に取り付けられるが、この支持金具８は壁面４と平行な方向に適当な間隔を隔てて取り付けられる。支持金具８を壁面４に取り付けるとき壁面４の浴室外側の面に壁補強木１５が沿わせられ、支持金具８の基部から取り付けビス１６が壁面４を介して壁補強木１５に打入されて支持金具８が取り付けられる。カウンター６は人造大理石等で形成されており、カウンター６を支持金具８に載置して支持金具８からカウンター６に取り付けねじ１７を打入して取り付けられている。支持金具８の上で壁面４に沿わせてハンガーレール１８が配置され、ハンガーレール１８から取り付けビス１６が壁面４を介して補強木１５に打入されてハンガーレール１８が取り付けられている。カウンター６の後部の下面にはアングル１９が取り付けねじ１７にて取り付けられており、アングル１９がハンガレール１８に引っ掛け係止されている。カウンター６には蛇口７等が取り付けられており、カウンター６の下には配管等が施されている。
【００１１】
カウンター６の下にはカウンター６の下の配管等を覆うために合成樹脂等で形成せる下カバー９が取り付けられるのであるが、この下カバー９は本発明の場合、断面略逆ヘ字状に形成されており、傾斜幕板部９ａと底面板部９ｂとを有している。傾斜幕板部９ａは前部の上端から下方に向けて後方に行くように傾斜させてあり、底面板部９ｂは傾斜幕板部９ａの下端から後方に向けて略水平に突出するように設けてある。かかる底面板部９ｂは略水平であるが、前部より後部の方がやや下がるように緩勾配を設けてあることも好ましい。カウンター６の前端の下端には差し込み金具２１が取り付けねじ１７にて取り付けられており、下カバー９の傾斜幕板部９ａの上端に設けた係止縁２２が差し込み金具２１に差し込み係止されている。支持金具８の下方で壁面４には略Ｌ字状のカバー固定金具２３が配置され、カバー固定金具２３の一片から壁面４を介して取り付けビス１６が補強木１５に打入されてカバー固定金具２３が壁面４に取り付けられている。下カバー９の底面板部９ｂの後端はカバー固定金具２３の他片に沿わせられ、下カバー９の底面板部９ｂからカバー固定金具２３に止めねじ２４を螺合して下カバー９の後端が支持されている。
【００１２】
カウンター６の下に下カバー９を装着することでカウンター６の下の配管等を隠して外観よくできるが、配管等の点検をするために点検口１０を設ける必要がある。図１及び図２に示す参考例の場合、点検口１０は下カバー９の傾斜幕板部９ａと底面板部９ｂとの角部を跨いで傾斜幕板部９ａと底面板部９ｂとに亙って開口させてある。この点検口１０には点検口１０を覆う点検口蓋１１が被着され、この点検口蓋１１がねじ具（図示せず）にて下カバー９に取り付けられている。この点検口１０の周縁には上方に凹没した凹段部１２を全周に亙って設けてあり、点検口蓋１１の周縁には全周に亙ってフランジ部２５を設けてあり、フランジ部２５が凹段部１２に収まるように点検口蓋１１の外面と下カバー９の外面とを面一にしてある。上記のように下カバー９に点検口１０が設けられて点検口１０に点検口蓋１１が被着されるが、下カバー９の幕板面が傾斜のついた傾斜幕板部９ａとなっているために下カバー９や点検口蓋１１が目立たなくて見栄えがよい。また点検口１０が傾斜幕板部９ａから底面板部９ｂに跨って開口しているために開口範囲が大きく、点検口１０から行うメンテナンス等の作業性がよい。また点検口１０の周縁に凹段部１２が設けられているために傾斜幕板部４ａを伝う汚れた水が図２の矢印ａに示すように水切りされて下に落ち、図２の矢印ｂのように凹段部１２の方に浸入して点検口蓋１１と点検口１０との間の隙間から下カバー９内に浸入することがない。
【００１３】
図３に本発明の実施の形態の一例を示す。本例の場合も点検口１０の周縁に凹段部１２が設けられるが、本例の場合、上記例のものより凹段部１２の深さを深くしてあり、点検口蓋１１の周縁を凹段部１２に納めて点検口蓋１１を被着してある。このとき、下カバー９の外面より点検口蓋１１の外面がｄの寸法だけ窪んでいる。このように下カバー９の外面より点検口蓋１１の外面が窪んでいると、傾斜幕板部９ａを伝う汚れた水が点検口蓋１１と点検口１０との間の隙間から内部に浸入するのを確実に防止できる。
【００１４】
【発明の効果】
本発明の請求項１の発明は、下カバーを断面略逆へ字状になるように形成してカウンターの前端から下方に行くほど壁面側に近付くように傾斜せる傾斜幕板部と傾斜幕板部の下端から壁面まで至る略水平な底面板部とを設け、下カバーの傾斜幕板部と底面板部との間の角部を跨ぐように傾斜幕板部と底面板部との間に亙って点検口を開口し、この点検口を塞ぐように点検口蓋を被着したものであって、上記のように下カバーの幕板部を下方に行くほど壁面側に近付くように傾斜せる傾斜幕板部としたことにより、下カバーや点検口蓋が目立たなく見栄えがよくなるものであり、また点検口としての開口が傾斜幕板部から底面板部に跨っていることにより、点検口の開口範囲が大きくて点検口を開放して行うメンテナンスの作業性がよくなるものである。
【００１５】
また点検口の周縁に全周に亙って上に向けて凹没した凹段部を設け、点検口蓋の周縁が凹段部内に位置するように点検口蓋を被着しているので、傾斜幕板部に汚れた水が伝っても水切りされて点検口蓋と点検口との間から汚れた水がカウンターの下の内部に入りにくく、衛生的になるものである。
【００１６】
また下カバーの外面より点検口蓋の外面の方が上記凹段部の凹没する方向に窪んでいるので、下カバーの傾斜幕板部に汚れた水が伝っても点検口蓋側に一層行かないように水切りされて点検口蓋と点検口との間から汚れた水がカウンターの下の内部に一層入りにくく、衛生的になるものである。
【図面の簡単な説明】
【図１】  参考例の側面から見た断面図である。
【図２】  同上の要部の作用を説明する拡大断面図である。
【図３】  本発明の実施の形態の一例の要部を拡大せる断面図である。
【図４】  浴室の全体の構造を示す斜視図である。
【図５】  従来例の側面から見た断面図である。
【図６】  従来例の問題を説明する拡大断面図である。
【符号の説明】
２  洗い場
４  壁面
６  カウンター
９  下カバー
９ａ  傾斜幕板部
９ｂ  底面板部
１０  点検口
１１  点検口蓋
１２  凹段部
【図１】
0003760807.tif 000002
【図２】
0003760807.tif 000003
【図３】
0003760807.tif 000004
【図４】
0003760807.tif 000005
【図５】
0003760807.tif 000006
【図６】
0003760807.tif 000007